(57)【要約】【課題】　受信端末からセンターへの情報通信のセキュリティを高めることができる放送システムを提供する。【解決手段】　セキュリティモジュール１に蓄積された視聴履歴情報33などのデータを受信端末２からセンター１、10に送信する放送システムにおいて、セキュリティモジュール３のセンター情報蓄積部34でセンターとの通信プロトコルを保持し、受信端末２は、セキュリティモジュールとセンターとの間のデータの受け渡しのみを行なう。受信端末はプロトコルを知る必要が無く、プロトコルが秘匿できるため、高いセキュリティを確保できる。また、新規サービスの追加などにより転送するデータ形式やデータ内容などを変更する場合には、セキュリティモジュールの交換によって対応できる。【選択図】　　　　図１
2004007810.tif 000002
【特許請求の範囲】
【請求項１】
　センター側とＩＣカードとの間でデータ送受信を行う放送システムにおける受信端末であり、
　前記受信端末は、ＩＣカードと接続され、
　前記ＩＣカードから、前記ＩＣカードに蓄積された視聴履歴情報を受け、公衆回線を介して前記センター側に送信する受信端末であって、
　前記視聴履歴情報を、前記ＩＣカードから前記センター側に送信する場合には、前記受信端末は、前記視聴履歴情報のデータの受け渡しをするのみである
　ことを特徴とする受信端末。
【請求項２】
　前記ＩＣカードから前記センター側にデータを送信する場合、前記受信端末は、前記ＩＣカードから受信したデータを所定量まで多重し、まとめて前記センター側に送信する
　ことを特徴とする請求項１に記載の受信端末。
【請求項３】
　前記センターから前記ＩＣカードにデータを送信する場合、前記受信端末は、前記センターから受信したデータを所定量まで分離し、分離されたデータ毎に前記ＩＣカードに転送する
　ことを特徴とする請求項１に記載の受信端末。
【請求項４】
　センター側とデータ送受信を行うＩＣカードであって、
　前記ＩＣカードは、受信端末に接続され、前記受信端末から公衆回線を介して前記センター側とのデータ送受信を行い、
　前記ＩＣカードが、視聴履歴情報を蓄積し、前記センターとの秘匿性のある通信プロトコルを保持する
　ことを特徴とするＩＣカード。
【請求項５】
　センター側とＩＣカードとの間でデータ送受信を行う放送システムであって、
　前記ＩＣカードは、受信端末に接続され、
　前記受信端末は、前記ＩＣカードから、前記ＩＣカードに蓄積された視聴履歴情報を受け、公衆回線を介して前記センター側に送信し、
　前記視聴履歴情報を、前記ＩＣカードから前記センター側に送信する場合には、前記受信端末は、前記視聴履歴情報のデータの受け渡しをするのみである
　ことを特徴とする放送システム。
【請求項６】
　センター側とＩＣカードとの間でデータ送受信を行うデータ送受信方法であって、
　前記ＩＣカードは、受信端末に接続され、
　前記受信端末は、前記ＩＣカードから、前記ＩＣカードに蓄積された視聴履歴情報を受け、公衆回線を介して前記センター側に送信し、
　前記視聴履歴情報を、前記ＩＣカードから前記センター側に送信する場合には、前記受信端末は、前記視聴履歴情報のデータの受け渡しをするのみである
　ことを特徴とするデータ送受信方法。
【請求項７】
　前記ＩＣカードから前記センター側にデータを送信する場合、前記受信端末は、前記ＩＣカードから受信したデータを所定量まで多重し、まとめて前記センター側に送信する
　ことを特徴とする請求項６に記載のデータ送受信方法。
【請求項８】
　前記センターから前記ＩＣカードにデータを送信する場合、前記受信端末は、前記センターから受信したデータを所定量まで分離し、分離されたデータ毎に前記ＩＣカードに転送する
　ことを特徴とする請求項６に記載のデータ送受信方法。
【発明の詳細な説明】
【技術分野】
【０００１】
　本発明は、有料番組をペイパービュー方式により放送する放送システム及び受信装置、並びに、この放送システムにおいて、受信装置からセンターに視聴履歴情報などを送信する通信方法に関し、特に、送信する情報の秘匿性を高め、また、送信先や送信元のマルチ化に対応できるようにするものである。
【背景技術】
【０００２】
　有料放送の契約形式には、大別して、チャンネル単位で契約を交わすフラットと称する形式と、視聴した番組に対して課金するペイパービュー（ＰＰＶ）方式とがある。
　このＰＰＶでは、有料番組を受信端末で視聴すると、その視聴した番組の履歴が、受信端末にセットされている、ＩＣカードなどから成るセキュリティモジュールに記録される。そして、記録された視聴履歴情報は、例えば、月に１回纏められて、電話回線を介して、センターに送信される。センターでは、この視聴履歴に基づいて、視聴者の銀行口座から料金を引き落とす処置が行なわれる。
【０００３】
　図８には、この視聴履歴情報を受信端末（ＩＲＤ）２からセンター１に通信する従来の放送システムの構成を図示している。ＩＲＤ２にセットされるセキュリティモジュール３は、視聴履歴情報を蓄積する履歴情報蓄積部32と、センター１に送信する視聴履歴情報を暗号化する暗号化部31とを具備し、また、ＩＲＤ２は、通信時のシナリオ（プロトコル）を管理する通信情報管理部22と、データの送受信を行なうデータ転送部21とを具備し、データ転送部21から送信されたデータは、公衆回線４を通じてセンター１に転送される。
【０００４】
　一方、センター１は、ＩＲＤ２の通信情報管理部22と同様の通信シナリオを管理する通信情報管理部14と、データを送受信するデータ転送部13と、受信したデータを復号化する復号化部12と、視聴履歴情報を蓄積する履歴情報回収部11とを具備している。
【０００５】
　この放送システムでは、視聴履歴情報をセンター１に送信する場合に、セキュリティモジュール３が、ＩＲＤ２に対して発呼を指示する。これを受けたＩＲＤ２は、センター２への発呼を行ない、回線を接続する。セキュリティモジュール３は、履歴情報蓄積部32に蓄積している視聴履歴情報を暗号化部31で暗号化してＩＲＤ２に出力し、ＩＲＤ２は、通信情報管理部22で管理しているシナリオに従って、センター１との間で相手側を確認する認証などのやり取りを実行した後、暗号化されたデータをデータ転送部21からセンター１に送信する。
【０００６】
　センター１では、ＩＲＤ２から送られた暗号化されたデータをデータ転送部13が受け取り、復号化部12がその復号化を行ない、復号化された視聴履歴情報が、履歴情報回収部11に蓄積される。
【０００７】
　また、こうしたシステムにおいて、視聴履歴情報と一緒に、その他のアプリケーションデータをＩＲＤからセンターに転送することが検討されている（特開平９−２９８７３３）。このアプリケーションデータは、ショッピングデータやメールなどであり、例えば、ショッピングデータの場合には、放送で紹介された商品の購入申込の操作を視聴者が行なうと、その商品情報がセキュリティモジュールのメモリに記憶され、視聴履歴情報と併せてセンターに送信され、センターから商品の販売者に購入情報が伝達される。
【０００８】
　従来の放送システムでは、こうした場合も含めて、セキュリティモジュール３とセンター１とがＩＲＤ２を介してデータをやり取りする際には、セキュリティモジュール３が、ＩＲＤ２に転送して欲しいデータを暗号化して渡し、ＩＲＤ２が、それをセンター１に渡すための処理を行なっている。
【特許文献１】特開平９−２９８７３３号公報
【発明の開示】
【発明が解決しようとする課題】
【０００９】
　しかし、従来のシステムでは、通信シナリオを実行する過程で、ＩＲＤがセンターに対して現在転送しようとしているデータを転送し、受信端末がセンターに対して送信するという処理が必要であり、そのため、センターとの通信の処理内容がＩＲＤメーカにも公開されることになるが、こうした情報が、いわゆるハッカーに漏れて解析されてしまうと、センターに転送するデータが改ざんされる危険性がある。
【００１０】
　また、センターとの通信におけるプロトコルの変更を伴う新規サービスを提供しようとすると、従来のシステムでは、受信側において、セキュリティモジュール以外にＩＲＤも交換しなければならないため、費用が嵩むという問題点がある。
【００１１】
　また、従来のシステムでは、通信先として指定されている一つのセンターに、一枚のセキュリティモジュール（ＩＣカード）に蓄積されたデータが転送されるように構成されている。しかし、番組提供機構が複数に及ぶ場合には、複数のセンターのそれぞれに視聴履歴情報を転送することが必要になり、また、ＩＲＤから転送するデータに視聴履歴情報以外のショッピングデータなども含まれるようになると、データ種別に応じて送り先を切り替えることも必要になる。さらに、一台の受信機を利用する個人個人が専用のＩＣカードを所有し、自分が視聴した有料番組の料金を各々が支払うと言う視聴形態も考えられる。従来のシステムでは、こうしたセンターが複数になり、あるいは、ＩＣカードが複数になる場合のデータ転送に、対応することができないという問題点がある。
【００１２】
　本発明は、こうした従来の問題点を解決するものであり、受信端末からセンターへのデータ通信のセキュリティを高めることができ、また、センター及びＩＣカードの複数化にも対応することができるデータ通信方法を提供し、また、その方法を実現する放送システム及び受信装置を提供することを目的としている。
【課題を解決するための手段】
【００１３】
　そこで、本発明では、セキュリティモジュールが、センターとの通信プロトコルを保持し、受信端末は、セキュリティモジュールとセンターとの間のデータの受け渡しのみを行なうように構成している。
【００１４】
　そのため、受信端末はプロトコルを知る必要が無くなり、プロトコルが受信端末に対して秘匿できるため、高いセキュリティを確保できる。また、プロトコルを変更する場合には、セキュリティモジュールの交換によって対応できる。
　また、セキュリティモジュールが、複数のセンターとの通信プロトコルを保持することによって、複数のセンターとデータ伝送することが可能になる。
【００１５】
　また、複数のセキュリティモジュールのデータを順番に受信端末に転送することによって、複数のセキュリティモジュールのデータを連続してセンターに伝送することができる。
【発明の効果】
【００１６】
　以上の説明から明らかなように、本発明のデータ通信方法では、受信端末にセンターとの通信プロトコルを知らせる必要が無い。そのため、プロトコルを秘匿することができ、高いセキュリティを確保できる。また、新サービスの提供などのために転送されるデータ形式やデータ内容などが変更される場合でも、セキュリティモジュールの交換によって対応することができる。
【００１７】
　また、本発明のデータ通信方法では、複数のセンターとの通信が可能であり、また、複数のセキュリティモジュールのデータや複数の受信端末からのデータを効率よくセンターに伝送することができる。
【００１８】
　本発明の放送システム及び受信装置は、こうしたデータ通信方法を実施することができる。
【発明を実施するための最良の形態】
【００１９】
　本発明の請求項１に記載の発明は、セキュリティモジュールに蓄積された視聴履歴情報などのデータを受信端末からセンター側に送信する放送システムにおいて、セキュリティモジュールが、センターとの通信プロトコルを保持し、受信端末が、セキュリティモジュールとセンターとの間のデータの受け渡しのみを行なうようにしたものであり、受信端末はプロトコルを知る必要が無くなり、プロトコルが秘匿できるため、高いセキュリティを確保できる。また、プロトコルを変更する場合には、セキュリティモジュールの交換によって対応できる。
【００２０】
　請求項２に記載の発明は、受信端末が、セキュリティモジュールから渡されたデータを多重化してセンターに送信し、センターから受信したデータを分割してセキュリティモジュールに渡すようにしたものであり、センターと受信端末との間で伝送するデータのデータサイズを大きくすることができ、伝送効率を高めることができる。
【００２１】
　請求項３に記載の発明は、セキュリティモジュールが、複数のセンターとの通信プロトコルを保持するようにしたものであり、複数のセンターへのデータ伝送が可能になる。
【００２２】
　請求項４に記載の発明は、受信端末が複数のセキュリティモジュールと接続し、受信端末が、それぞれのセキュリティモジュールに蓄積されたデータを、順番に連続してセンターに送信するようにしたものであり、センターとの一回の呼接続によって複数のセキュリティモジュールのデータを伝送することができ、伝送効率を高めることができる。
【００２３】
　請求項５に記載の発明は、受信端末が他の受信端末に接続し、他の受信端末から転送されたデータと、セキュリティモジュールから渡されたデータとを順番に連続してセンターに送信するようにしたものであり、センターとの一回の呼接続によって複数の受信端末のデータを伝送することができ、伝送効率を高めることができる。
【００２４】
　請求項６に記載の発明は、セキュリティモジュールに蓄積された視聴履歴情報などのデータを受信端末から放送システムのセンター側に送信するデータ通信方法において、受信端末がセンターとの回線を接続し、セキュリティモジュールが通信プロトコルに従って転送するデータを暗号化して受信端末に渡し、受信端末が、渡されたデータをセンターに送信するようにしたものであり、受信端末は、受け取ったデータをそのままセンターに送信するだけの動作を行なう。
【００２５】
　請求項７に記載の発明は、受信端末が、セキュリティモジュールから渡されたデータを多重化してセンターに送信するようにしたものであり、センターと受信端末との間で伝送するデータのデータサイズを大きくすることができ、伝送効率を高めることができる。
【００２６】
　請求項８に記載の発明は、受信端末が、センターとの一回の呼接続で複数のセキュリティモジュールに蓄積されたデータを、順番に連続して送信するようにしたものであり、データの伝送効率を高めることができる。
【００２７】
　請求項９に記載の発明は、受信端末が、センターとの一回の呼接続で他の受信端末から転送されたデータと、セキュリティモジュールに蓄積されたデータとを順番に連続して送信するようにしたものであり、データの伝送効率を高めることができる。
【００２８】
　請求項１０に記載の発明は、放送システムのセンター側に、セキュリティモジュールに蓄積された視聴履歴情報などのデータを送信する受信側装置において、セキュリティモジュールに、送信すべきデータを蓄積する蓄積部と、センターとの通信プロトコルを含むセンター情報を蓄積するセンター情報蓄積部と、転送するデータを暗号化する暗号化部と、暗号化されたデータを受信端末に転送するデータ転送部とを設け、受信端末に、セキュリティモジュールから転送されたデータを受け入れるデータ転送部と、受け入れたデータを電話回線を介してセンターに送信する電話回線データ転送部とを設けたものであり、請求項６のデータ通信方法を実施することができる。
【００２９】
　請求項１１に記載の発明は、セキュリティモジュールのセンター情報蓄積部に、複数のセンターに関するセンター情報を蓄積するようにしたものであり、複数のセンターへのデータ伝送が可能になる。
【００３０】
　請求項１２に記載の発明は、受信端末に、データ転送部で受け入れたデータを多重化し、電話回線データ転送部で受信したセンターからのデータを分割する多重分離手段を設けたものであり、センターと受信端末との間で伝送するデータのデータサイズを大きくすることができ、伝送効率を高めることができる。
【００３１】
　請求項１３に記載の発明は、受信端末に、データを受け入れるデータ転送部に複数のセキュリティモジュールからのデータを順番に入力するセキュリティモジュール切り替え手段を設けたものであり、請求項８のデータ通信方法を実施することができる。
【００３２】
　請求項１４に記載の発明は、受信端末に、接続する他の受信端末との間でデータを転送する受信端末間通信手段を設けたものであり、請求項９のデータ通信方法を実施することができる。
【００３３】
　以下、本発明の実施の形態について、図面を用いて説明する。
　（第１の実施形態）
　第１の実施形態の放送システムは、図１に示すように、ＩＲＤ２に複数のセキュリティモジュール３、30が接続し、また、ＩＲＤ２は、公衆回線網４を通じて複数のセンター１、10に接続している。セキュリティモジュール３、30は、視聴履歴情報を蓄積する履歴情報蓄積部33と、各センター１、10ごとの宛て先や通信プロトコルが蓄積されたセンター情報蓄積部34と、送信するデータを暗号化し、受信したデータを復号化する暗号／復号化部35と、ＩＲＤ２との間でデータを送受するＩＣカードデータ転送部36とを具備し、また、ＩＲＤ２は、セキュリティモジュール３との間でデータを送受するＩＣカードデータ転送部24と、電話回線４を介してセンター１、10とデータの送受を行なう電話回線データ転送部23とを具備している。また、センター１は、ＩＲＤ２との間でデータの送受を行なう電話回線データ転送部18と、受信したデータを復号化し、送信するデータを暗号化する暗号／復号化部17と、受信した視聴履歴情報を蓄積する履歴情報回収部16と、視聴履歴情報以外の通信情報を受信した場合に、それを蓄積する通信情報蓄積部15とを具備している。
【００３４】
　図２は、この放送システムにおいて、１つのセキュリティモジュール３に蓄積された視聴履歴情報が１つのセンター１に送信される場合のブロック図を示している。このシステムの動作について説明する。
【００３５】
　セキュリティモジュール３が、センター情報蓄積部34の情報を基に、ＩＲＤ２に対してセンター１との接続を要求すると、ＩＲＤ２は、センター１に発呼を行ない、ネットワーク的な接続を実現する。
【００３６】
　接続が行なわれた旨をＩＲＤ２がセキュリティモジュール３に返すと、セキュリティモジュール３は、履歴情報蓄積部33に蓄積されている視聴履歴情報を暗号化／復号化部35で暗号化し、センター情報蓄積部34に蓄積されているセンター１との間の通信シナリオを基に通信を行なう。
【００３７】
　このとき、セキュリティモジュール３は、ＩＣカードデータ転送部36を通じて、暗号化した通信データをＩＲＤ２に転送し、ＩＲＤ２は、そのデータをＩＣカードデータ転送部24で受け取ると、電話回線データ転送部23を通じて、そのままセンター１に送信する。
　センター１は、受け取ったデータを暗号化／復号化部17で復号化し、履歴情報回収部16に視聴履歴情報を収集する。
【００３８】
　図７（ａ）は、このときのセンター１との通信におけるフェーズを示しており、呼接続の後、暗号化されたデータによって認証の手順が行なわれ、暗号化された視聴履歴情報のデータが伝送される。データ伝送が終了すると回線接続が切断される。
　このデータ伝送において、ＩＲＤ２は、単にデータの受け渡しのみを行ない、ＩＲＤ内での処理は一切行なわない。
【００３９】
　また、このセンター１との通信では、視聴履歴情報がセンター１の履歴情報回収部16に格納されると、その旨がセキュリティモジュール３に通知され、セキュリティモジュール３では、履歴情報蓄積部33に蓄積されている転送済みの視聴履歴情報を削除し、削除した旨をセンター１に通知する。これらの情報を知らせるデータは、それぞれ、センター１及びセキュリティモジュール３の暗号／復号化部17、35で暗号化され、また、受けた側で復号化される。
　この場合にも、ＩＲＤ２は、データの受け渡しのために暗号化バイト列を転送するのみで、ＩＲＤ内においては処理を一切行なわない。
【００４０】
　このように、この放送システムでは、ＩＲＤが転送のみに専念するため、ＩＲＤはプロトコルを知る必要がない。そのため、ＩＲＤメーカーに対してセンターとの通信の処理内容を公開する必要が無くなり、高いセキュリティを確保することができる。また、ＩＲＤは、データの転送のみを行なえば済むため、負担が軽減される。
【００４１】
　また、異なるセンターにデータを転送する場合には、セキュリティモジュール３が、センター情報蓄積部34から、該当するセンターの宛て先や、そのセンターとの間で行なわれる通信プロトコルを読み出すことによって可能となる。
【００４２】
　また、新規サービスに対しては、セキュリティモジュール３を、そのサービスに対応するセンター情報が蓄積されたセキュリティモジュールに入れ換えるだけで、新規サービスの提供を受け入れることが可能になる。従って、新規サービスの追加により転送するデータ内容や転送プロトコルが変更される場合には、ＩＲＤまで変える必要があった従来のシステムに比べて、大幅にコストを削減することができる。
【００４３】
　（第２の実施形態）
　第２の実施形態の放送システムは、図３に示すように、セキュリティモジュール３から転送されたデータを多重化し、また、センター１から転送されたデータを分離するデータ多重・分離部25を備えている。その他の構成は第１の実施形態（図２）と変わりがない。
【００４４】
　セキュリティモジュール３では、メモリーのフリー領域をワークメモリエリアに使用してデータの暗号化や復号化が行なわれるため、メモリーのフリー領域が少ない場合には、一時に暗号化や復号化できるデータ量が少量になり、少しずつの量の暗号化や復号化が、所定量に達するまで繰り返し行なわれることになる。そのため、セキュリティモジュール３のＩＣカードデータ転送部36からは、ＩＲＤ２のＩＣカードデータ転送部24に対して、暗号化された少しの量のデータが繰り返し転送されることになる。
【００４５】
　この暗号化されたデータを、そのままの少ないデータ量の単位でセンター１に送信すると、それぞれの送信単位ごとにヘッダを付さなければならないため、冗長度が増し、通信効率が低下する。
【００４６】
　そこで、この放送システムでは、ＩＲＤ２のデータ多重・分離部25が、セキュリティモジュール３から送られて来る複数のバイト列を多重化し、一つに纏めて電話回線データ転送部23に出力し、電話回線データ転送部23は、この纏められた単位のデータを、公衆回線４を介して、センター１に送信する。
【００４７】
　また、逆に、センター１から公衆回線４を介して転送されたデータに対しては、ＩＲＤ２の多重・分離部25が、これを細かいデータ量の単位に分割してＩＣカードデータ転送部24に出力し、ＩＣカードデータ転送部24が、分割されたデータをセキュリティモジュール３に転送する。
　そのため、この放送システムでは、受信端末が転送データの内容や転送プロトコルに全く関知しない場合でも、公衆回線でのデータの伝送効率を高めることが可能になる。
【００４８】
　（第３の実施形態）
　第３の実施形態の放送システムは、図４に示すように、ＩＲＤ２が、セキュリティモジュールを切り替えるセキュリティモジュール切り替え部26を具備し、複数のセキュリティモジュール３、30が、このセキュリティモジュール切り替え部26を介してＩＲＤ２に接続している。セキュリティモジュール３、30及びセンター１の各構成は第１の実施形態と変わりがない。
【００４９】
　このシステムでは、図７（ｂ）に示す通信フェーズによりセンター１に視聴履歴情報が送信される。まず、ＩＲＤ２のセキュリティモジュール切り替え部26は、一方のセキュリティモジュール３をＩＣカードデータ転送部24に論理的に接続する。その結果、第１の実施形態で説明した手順で、呼接続の後、センター１との通信プロトコルに従って、セキュリティモジュール３の暗号／復号化部35で暗号化されたデータがセンター１に転送される。このデータ通信が終了すると、セキュリティモジュール切り替え部26は、次のセキュリティモジュール30をＩＣカードデータ転送部24に論理的に切り替える。その結果、セキュリティモジュール30の暗号／復号化部35で暗号化されたデータがセンター１に転送される。このデータ通信が終了すると、ＩＲＤ２とセンター１との回線接続が解放される。
　このように、この放送システムでは、複数のセキュリティモジュールに蓄積された視聴履歴情報が、一回の呼接続で、効率的に、連続してセンターに送信される。
【００５０】
　（第４の実施形態）
　第４の実施形態では、ＩＲＤにさらに他のＩＲＤが接続する場合について説明する。例えば、家庭内に複数台のＩＲＤが設置される場合、それぞれのＩＲＤが個々に電話回線を介してセンターに接続する形態から、将来的には、図６に示すように、ＩＲＤ２、20同士が相互に接続し、その中の１台が電話回線４に接続する、家庭内ＬＡＮのような形態に移行することが予想される。第４の実施形態では、こうした形態の下でのセンター通信を実現する。
【００５１】
　この放送システムでは、図５に示すように、ＩＲＤ２及びＩＲＤ20のそれぞれが、電話回線データ転送部23、ＩＣカードデータ転送部24、及びセキュリティモジュール切り替え部26の他に、ＩＲＤ間のデータ転送を行なうＩＲＤ間通信部27を具備している。
【００５２】
　ＩＲＤ20は、セキュリティモジュール60に蓄積されている視聴履歴情報データを、ＩＲＤ間通信部27を介して、電話回線４に接続するＩＲＤ２に転送する。ＩＲＤ２は、セキュリティモジュール３の視聴履歴情報データと併せて、ＩＲＤ20から転送された視聴履歴情報データを纏めて、センター１に送信する。
　そのため、このシステムでは、複数台のＩＲＤにおける視聴履歴情報を、一回の呼接続で効率的にセンターに送ることができる。
【産業上の利用可能性】
【００５３】
　本発明の受信端末は、デジタル放送を受信するＳＴＢ（Set Top Box）、ＤＴＶ（Digital Television）、パーソナルコンピュータ、ＰＤＡ（Personal Digital Assistant）および携帯電話機などとして有用である。また本発明の放送システムは、デジタルテレビ放送システムおよびコンテンツ配信システムなどとして有用である。さらに、本発明のＩＣカードは、通信プロトコルを保持するＩＣカードおよびＰＣカードなどとして有用である。
【図面の簡単な説明】
【００５４】
【図１】本発明の放送システムの全体構成図、
【図２】本発明の第１の実施形態における放送システムの構成を示すブロック図、
【図３】本発明の第２の実施形態における放送システムの構成を示すブロック図、
【図４】本発明の第３の実施形態における放送システムの構成を示すブロック図、
【図５】本発明の第４の実施形態における放送システムの構成を示すブロック図、
【図６】本発明の第４の実施形態における放送システムの全体構成図、
【図７】本発明の第１の実施形態（ａ）及び第３の実施形態（ｂ）の通信方法における通信フェーズ、
【図８】従来の放送システムの構成を示すブロック図である。
【符号の説明】
【００５５】
　１、10　センター
　　　２　ＩＲＤ（受信端末）
　３、30　セキュリティモジュール
　　　４　公衆回線網
　　　15　通信情報蓄積部
　　　16　履歴情報回収部
　　　17　暗号／復号化部
　　　18　電話回線データ転送部
　　　23　電話回線データ転送部
　　　24　ＩＣカードデータ転送部
　　　25　データ多重分離部
　　　26　セキュリティモジュール切り替え部
　　　27　ＩＲＤ間通信部
　　　33　履歴情報蓄積部
　　　34　センター情報蓄積部
　　　35　暗号／復号化部
　　　36　ＩＣカードデータ転送部
【図１】
2004007810.tif 000003
【図２】
2004007810.tif 000004
【図３】
2004007810.tif 000005
【図４】
2004007810.tif 000006
【図５】
2004007810.tif 000007
【図６】
2004007810.tif 000008
【図７】
2004007810.tif 000009
【図８】
2004007810.tif 000010